(57)【要約】  本発明は、手術台にデバイス（１０、８０及び９０）を固定する為の第１の固定ユニット（１２）と、デバイス（１０、８０及び９０）にアクセサリのロッド（１００乃至１１０）を固定する為の第２の固定ユニット（３０）と、を含む、手術台にアクセサリを固定する為のデバイス（１０、８０及び９０）に関する。この第２の固定ユニット（３０）は、ロッド（１００乃至１１０）を収容する為の穴を有し、穴の断面は、少なくとも２つの異なるプロファイルタイプのロッド（１００乃至１１０）を穴に固定する事が出来る様に設計される。【選択図】図３
2018528791.tif 000002
【特許請求の範囲】
【請求項１】
手術台にアクセサリを固定する為のデバイス（１０、８０及び９０）であって、
前記手術台に、特に前記手術台のレールに前記デバイス（１０、８０及び９０）を固定する為の第１の固定ユニット（１２）と、
前記デバイス（１０、８０及び９０）に前記アクセサリのロッド（１００乃至１１０）を固定する為の第２の固定ユニット（３０）と、
前記第２の固定ユニット（３０）は、前記ロッド（１００乃至１１０）を収容する為の穴（４０）を有し、
前記第２の固定ユニット（３０）は、前記穴（４０）に収容した前記ロッド（１００乃至１１０）をクランプする為のクランプユニット（３６）を含み、
第１のプロファイルタイプを有するロッド（１００乃至１１０）と少なくとも第２のプロファイルタイプを有するロッド（１００乃至１１０）を前記クランプユニット（３６）によって前記穴（４０）に特にポジティブロック接続によって固定する事が出来る様に前記穴（４０）の断面が設計される
事を特徴とするデバイス（１０、８０及び９０）。
【請求項２】
少なくとも第３のプロファイルタイプのロッド（１００乃至１１０）を前記穴（４０）に固定する事が出来る様に前記穴（４０）の断面が設計される
請求項１に記載のデバイス（１０、８０及び９０）。
【請求項３】
前記穴（４０）の断面は、円形のプロファイルを有するロッド（１００乃至１１０）、平面を有する円形のプロファイルを有するロッド（１００乃至１１０）、長方形のプロファイルを有するロッド（１００乃至１１０）、正方形のプロファイルを有するロッド（１００乃至１１０）、及び／又は軸対称なｎ角形のプロファイルを有するロッド（１００乃至１１０）を前記穴（４０）に固定する事が出来る様に設計される
請求項１又は２に記載のデバイス（１０、８０及び９０）。
【請求項４】
前記穴（４０）の断面は、前記第１のプロファイルタイプのロッド（１００乃至１１０）と前記第２のプロファイルタイプのロッド（１００乃至１１０）とが前記クランプユニット（３６）に面する前記穴（４０）の側面上に於いて少なくとも３つの点状の領域に於いて前記穴（４０）に接する様に設計される
請求項１乃至３の何れか一項に記載のデバイス（１０、８０及び９０）。
【請求項５】
前記穴（４０）の断面は、前記第１のプロファイルタイプのロッド（１００乃至１１０）と前記第２のプロファイルタイプのロッド（１００乃至１１０）とが前記クランプユニット（３６）に面する前記穴（４０）の側面上に於いて少なくとも２本の接触線に沿って前記穴（４０）に接する様に設計される
請求項１乃至４の何れか一項に記載のデバイス（１０、８０及び９０）。
【請求項６】
前記穴（４０）の断面は、少なくとも前記第１のプロファイルタイプのロッド（１００乃至１１０）が前記クランプユニット（３６）に面する前記穴（４０）の側面上に於いて前記穴（４０）と平面接触する様に設計される
請求項１乃至５の何れか一項に記載のデバイス（１０、８０及び９０）。
【請求項７】
前記穴（４０）の断面は、前記第１のプロファイルタイプのロッド（１００乃至１１０）と前記第２のプロファイルタイプのロッド（１００乃至１１０）とが前記クランプユニット（３６）に面する前記穴（４０）の側面上に於いて前記穴（４０）と平面接触する様に設計される
請求項１乃至６の何れか一項に記載のデバイス（１０、８０及び９０）。
【請求項８】
前記穴（４０）の断面は、前記第１のプロファイルタイプのロッド（１００乃至１１０）と前記第２のプロファイルタイプのロッド（１００乃至１１０）の場合に、同様に収容したロッド（１００乃至１１０）の横滑りが前記穴（４０）の内壁上に於ける接触によって防がれる様に設計される
請求項１乃至７の何れか一項に記載のデバイス（１０、８０及び９０）。
【請求項９】
前記穴（４０）の断面は、正方形（７２）と長方形（７４及び７６）の重ね合わせによってもたらされる
請求項１乃至８の何れか一項に記載のデバイス（１０、８０及び９０）。
【請求項１０】
前記正方形（７２）は、前記長方形（７４及び７６）に対し４５°だけ回転される
請求項９に記載のデバイス（１０、８０及び９０）。
【請求項１１】
前記正方形（７２）と前記長方形（７４及び７６）は、前記穴（４０）の断面が部分的に前記正方形（７２）によって、及び部分的に前記長方形（７４及び７６）によって定められる様に、相互を越え突出する
請求項９又は１０に記載のデバイス（１０、８０及び９０）。
【請求項１２】
前記正方形（７２）の対角線は、前記長方形（７４及び７６）の長辺よりも長い
請求項９乃至１１の何れか一項に記載のデバイス（１０、８０及び９０）。
【請求項１３】
前記穴（４０）の断面は、正方形（７２）と２つの長方形（７４及び７６）の重ね合わせによってもたらされる
請求項１乃至８の何れか一項に記載のデバイス（１０、８０及び９０）。
【請求項１４】
前記長方形（７４及び７６）は、相互に９０°だけ回転され、前記正方形（７２）は、前記長方形（７４及び７６）に対し何れの場合であっても４５°だけ回転される
請求項１３に記載のデバイス（１０、８０及び９０）。
【請求項１５】
前記正方形（７２）と前記長方形（７４及び７６）は、前記穴（４０）の断面が部分的に前記正方形（７２）によって、部分的に一方の長方形（７４）によって、及び部分的に他方の長方形（７６）によって定められる様に、何れの場合であっても相互を越え突出する
請求項１３又は１４に記載のデバイス（１０、８０及び９０）。
【請求項１６】
前記長方形（７４及び７６）は、同一に形成され、前記正方形（７２）の対角線は、前記長方形（７４及び７６）の長辺よりも長い
請求項１３乃至１５の何れか一項に記載のデバイス（１０、８０及び９０）。
【請求項１７】
前記クランプユニット（３６）は、テンションねじ、特に蝶ねじを含む
請求項１乃至１６の何れか一項に記載のデバイス（１０、８０及び９０）。
【請求項１８】
前記テンションねじ（３６）は、クランプされる前記ロッド（１００乃至１１０）と接触する為の接触平面（５６）を含む
請求項１７に記載のデバイス（１０、８０及び９０）。
【発明の詳細な説明】
【技術分野】
【０００１】
本発明は、ベースボディと、手術台、特に手術台のレール上にデバイスを固定する為の第１の固定ユニットと、デバイスにアクセサリのロッドを固定する為の第２の固定ユニットと、を含む、手術台にアクセサリを固定する為のデバイスに関する。
【背景技術】
【０００２】
手術中の介入に応じ患者を別の位置に配置する必要が有る。例えば、これは腎臓手術の場合は側位である。その位置に患者が安定に存在しない為、その位置に患者を支持するか又は安定させる為にデバイスが必要と成る。
【０００３】
この目的の為に、手術台の所定の位置に患者を安定させる為の俗に言うボディサポートを使用する。ボディサポートは、手術台の側面に配置したレールに固定される。異なるボディタイプの患者を支持する為、ボディサポートの高さを調整する事が出来る必要が有り、設定した高さにボディサポートを固定する事が出来る必要が有る。従って、固定デバイスを介し手術台にもたらした力は、外部からこれらのボディサポートに作用する。アクセサリを固定する為のそのデバイスは、一般的にブラケットとも指称される。
【０００４】
もたらした力は、手術台に平行な軸廻りにトルクをもたらす。レールが完全にレスト面に沿って形成されない為、レールが直下に配置されない位置に患者を支持する事が出来るサポートが必要と成る。これらの場合に於いては、ブラケットによって手術台の表面に垂直な軸廻りのトルクをレールにもたらす必要が有る。
【０００５】
もたらした力は、水平面に対し傾斜したサポート面を設定する場合、例えばトレンデレンブルグ位の場合に、彼／彼女がレスト面を滑り落ちる事が出来ない様に、患者を支持する力である。この目的の為に、側面に取り付けた手術台のスライドレールにブラケットを介し接続される、俗に言うショルダサポート又はフットサポートを通常は使用する。従って、支持する必要が有るトルクは、レスト面の表面に平行に配置され、その長手方向と直角を成す軸廻りのトルクである。
【０００６】
一方、長手方向に於ける同時の傾斜によってレスト面を空間に於いて指向させると共にレスト面の長手軸と平行に配置した軸廻りに配置する事が出来、他方、インスツルメントラック、点滴スタンド、及び麻酔ボウ等のアクセサリがブラケットを介し取り付けられ、前述のアクセサリは、患者を支持しないが、雑用の為に、又は被覆材、チューブ、ライン、若しくはイントラ動作の投薬の為の装置を固定する為に必要と成り、確実に保持する必要が有るブラケットに対するトルクと力の如何なる組み合わせも可能と成る。
【発明の概要】
【発明が解決しようとする課題】
【０００７】
ブラケットを介した力とトルクの出来る限り確かな導入を保証する１つの実現性は、ボディサポートを堅いボンディングによってブラケットに接続する事である。これは、ブラケットがアクセサリに堅く接続される欠点が有り、アクセサリの大きい総重量をもたらす。更に、アクセサリ毎にブラケットをそのアクセサリに固定する必要が有る事は不利であり、必要なコストとストレージスペースとが増大する。
【０００８】
更に、特殊なブラケットを介したポジティブロック接続によってボディサポートを接続したシステムが知られている。既知のシステムに於いては、あるボディサポート又はボディサポート系の為に適した１つのブラケットのみが常に存在する。ボディサポートのロッドは、長方形、正方形、又は円形プロファイルを一般的に有する。六角形又は八角形のプロファイルも知られている。既知のブラケットに於いては、各プロファイルタイプの為に、特殊なブラケットを使用する必要が有り、保管所に保管する為に複数の異なるブラケットを必要とするという欠点を有し、最初に間違ったブラケットを使用する失敗が容易に起こり得る。
【０００９】
更に、そのブラケットを使用し、例えば麻酔ボウも手術台のレールに固定する。麻酔ボウは、患者の頚と患者の胸との間の領域のレスト面のスライドレールに側面に於いて取り付けられるロッドアセンブリである。これらのロッドアセンブリに、一方に於いては、麻酔科医に患者の頭に対する最善のアクセスを与える為に、患者を覆う殺菌シートが取り付けられる。他方に於いては、外科チームの為に手術領域に対するアクセスを平易化する為に、患者の腕をロッドアセンブリに固定する事が出来る。麻酔ボウの場合も同様に、数多の異なるプロファイルが知られ、ここでも、各プロファイルタイプの為に特殊なブラケットを使用する。
【００１０】
更に、患者の腕の共通の軸受の為のアームレストは、ブラケットを介しレールに取り付けられる。
【００１１】
更に、手術台にアクセサリロッドを接続する為の俗に言うラジアルセットクランプが知られている。これらは、指向した軸に対しアクセサリロッドを更に回転させる事が出来るという特徴を有し、一方に於いては、手術台の表面に平行な平面に於いて、他方に於いては、手術台の縦方向に対し直角に、及び手術台の表面に対し角度を以て固定される。ロッドの固定と角度設定は、手動操作の動作エレメントによって生じ、この目的の為に、手動で動かされるエレメントの固定に一般的に蝶ねじを使用する。然し乍ら、そのラジアルセットクランプは、専ら円形のプロファイルを有するロッドを収容する為に設計される。長方形のプロファイルのロッドを有するアクセサリは、レールにこれらのラジアルセットクランプによって固定することができない。更に、ここでの欠点は、蝶ねじによってテンションが緩み、全ての自由度が同時にリリースされ、ラジアルセットクランプを介し固定したアクセサリの位置の細かい設定が出来ない事である。
【００１２】
手術台にアクセサリを固定する為のデバイスを示す事が本発明の目的であり、それによって相当数の異なるアクセサリをそのプロファイルと無関係に手術台に簡単且つ確実に固定する事が出来る。
【課題を解決するための手段】
【００１３】
この目的は、請求項１の特徴を有するデバイスによって達成される。本発明の都合の良い発展は、従属項に示される。
【００１４】
本発明に従った、第２の固定ユニットは、アクセサリのロッドを収容する為の穴と、穴に収容したロッドをクランプする為のクランプユニットと、を有する。ホールの断面は、穴に於いて、第１のプロファイルタイプを有するロッドと少なくとも１つの第２のプロファイルタイプを有するロッドの両方をクランプユニットによって固定する事が出来る様に設計される。特に、第１のプロファイルタイプのロッドと第２のプロファイルタイプのロッドの両方をポジティブロック接続によって穴に収容する事が出来る。
【００１５】
前述のデバイスによって、少なくとも第１のプロファイルを有するロッドと第２のプロファイルを有するロッドを同一のデバイスによって手術台に固定する事が出来る。先行技術と異なり、プロセスに於いて特殊なデバイスを各プロファイル形状の為に使用する必要は無く、その収容領域が対応するプロファイル形状に適応する。従って、混乱が防がれ、取り扱いが平易化される。更に、保管する必要の有る部品の数は現在よりも少なく、必要とするコストと保管スペースとを削減する。
【００１６】
本願のコンテキストに於いては、プロファイルは、特に各ロッドの断面の外形を意図する様に理解される。従って、ロッドは、特に、長方形、円形又は正方形のプロファイルを有する事が出来、本願のコンテキストに於いては、長方形のプロファイルは、特にこのプロファイルが正方形でない事を意図する様に理解される。
【００１７】
特に、穴は、その内壁の形状が第１のプロファイルタイプと第２のプロファイルタイプの両方に適応する様に設計される。
【００１８】
プロファイルタイプは、各タイプの断面、例えば、円形のロッド、長方形のロッド等を示す。異なるプロファイルタイプは、同一の形状のロッドであって異なる寸法、例えば異なる寸法を有する２つの円形のプロファイルのロッドである様に理解される。
【００１９】
特に、第１のサブセクションに於いて第１のプロファイルタイプに対し相補的に設計され、第２のサブセクションに於いて第２のプロファイルタイプに対し相補的に設計される様に穴を形成する。結果的に、第１のプロファイルタイプのロッドと第２のプロファイルタイプのロッドの両方が出来る限り広い領域に亘り穴の内壁に接触する為、それらを確実にクランプする事が出来る。
【００２０】
特に好ましい実施の形態に於いては、穴に少なくとも第３のプロファイルタイプを有するロッドを固定する事が出来る様に穴の断面を設計する。従って、１つのデバイスのみを使用し、相当数の異なるプロファイルを収容する事が出来、手術台に全ての共通のプロファイルタイプを固定する事が出来る。
【００２１】
特に、円形のプロファイルを有するロッド、平面を有する円形のプロファイルを有するロッド、長方形のプロファイルを有するロッド、及び／又はｎ角形の軸対称なプロファイルを有するロッドの夫々が所定の寸法範囲内に収まる様に穴を設計する。従って、共通の寸法範囲内の全ての共通のプロファイルを手術台にデバイスを介し固定する事が出来る。ｎ角形の軸対称なプロファイルは、例えば対称な六角形又は対称な八角形のプロファイルを意味する。
【００２２】
更に、第１のプロファイルタイプのロッドと第２のプロファイルタイプのロッドの両方がクランプユニットに面する側面上の穴に少なくとも３つの点接触又は２つの線に沿って接触する事が出来る様に穴の断面を設計した場合に都合が良い。特に、これらの２つの線は、共通の軸に存在しないが、代わりに相互に平行に配置される。２つの線又は３つの点接触に沿った接触を介し、第１のプロファイルタイプのロッドと第２のプロファイルタイプのロッドの両方を穴に確実に固定する事を保証する。特に、１つ以上の線に於ける接触を介し、各ロッドの捻れ又は傾きが確実に防がれる。
【００２３】
少なくとも第１のプロファイルタイプのロッドがクランプユニットに面する側面上の穴と平面接触と成る様に穴の断面を設計した場合に特に都合が良い。平面接触を介し、特に確実な保持を保証する。特に、このように、特に中空のプロファイルの場合に、デバイス及び／又はロッドを損傷せずに、より大きい力を保証する事が出来る。第２のプロファイルタイプのロッドを穴に収容した時に、第２のプロファイルタイプのロッドがクランプユニットに面する内壁と平面接触と成る場合に特に都合が良い。
【００２４】
本発明の特に好ましい実施の形態に於いては、穴の内壁との接触を介し、収容したロッドのラテラルスリッピングを防ぐべく、第２のプロファイルタイプのロッドを穴に於いてクランプする様に穴の断面を設計する。この目的の為に、特に、滑りと捻れとを防ぐべく、ロッドがそのプロファイルタイプと無関係に少なくとも２つの側面上に接触する様に穴を形成する。
【００２５】
本発明の特に好ましい実施の形態に於いては、穴の断面が正方形と長方形の重ね合わせによってもたらされ、特に長方形に対し正方形を４５°だけ回転させる。これは、中心が一致し、対角線が４５°だけ相互に回転した事を特に意図する様に理解される。
【００２６】
この形状の結果、クランプユニットに面する側面に於いて、幾つかの位置に於ける接触又は穴の内壁との平面接触の何れの場合であっても、ロッドの滑り、捻れ、及び／又は傾きが確実に防がれる様に、長方形、正方形、円形、及びｎ角形の軸対称なプロファイルを確実にクランプする事が出来る。
【００２７】
穴の断面を部分的に正方形によって、及び部分的に長方形によって形成した場合に特に都合が良い。特に、正方形の対角線が長方形の最長の辺よりも長く、長方形の短辺に同様に、Ｖ字形のノッチを正方形の突出する角によって形成する。このノッチによって、特に、捻れと傾きとに耐える様に正方形のプロファイルをクランプする事が出来、正方形のプロファイルの縁を対応し面するＶ字形のノッチに配置する。
【００２８】
本発明の他の実施の形態に於いては、穴の断面が正方形と２つの長方形の重ね合わせによってもたらされ、特に、中心が一致し、２つの長方形の長辺を相互に垂直に配置する様に、長方形が特に相互に９０°だけ回転され配置され、正方形が各長方形に対し４５°だけ回転され配置される。
【００２９】
断面のこの形状によって、デバイスを介し手術台に確実に固定する事が出来るプロファイルの数を更に増加させる事が出来る。特に、従って、長方形のプロファイルは、９０°だけ回転され２つの異なる方向に適応される。
【００３０】
特に、穴の断面が部分的に正方形、部分的にある長方形、及び部分的に他の長方形によって定められる様に、正方形と長方形とを何れの場合であっても相互に突出する様に配置する。
【００３１】
長方形は、好ましくは同一に形成され、正方形の対角線は、長方形の長辺よりも長い。結果的に、長方形の短辺に於いて、正方形のプロファイルの縁に適応する為のＶ字形状のノッチを提供する。
【００３２】
更に、クランプユニットをテンションねじ、特に蝶ねじに設計した場合に都合が良い。従って、簡単に、ロッドをクランプし、ロッドの固定を再び緩める事が出来る。テンションねじは、特に、クランプしたロッドとの接触に至らせる為の接触平面を含む。結果的に、円形、長方形、及び、長方形のロッドを確実にクランプする事が出来、平面及び／又は線に沿った接触を提供する。
【００３３】
デバイスの第１の固定ユニットは、好ましくは手術台のレール上のデバイスを堅くクランプする為のクランプユニットである様に設計される。特に、クランプユニットは、第１のフックを有し、それによってデバイスをレールの上縁に取り付ける事が出来る。更に、手動で動かされるレバーによって移動させる事が出来、レールを下から包囲する事が出来る第２のフックを提供する。従って、所望の位置にクランプする確実な固定が可能と成る。結果的に、デバイスは、レール滑落及び／又は望まれない横滑りを回避する。
【００３４】
本発明の別の機能と利点は、添付した図面と共に実施の形態の一例に関連し本発明を詳細に説明する以下の明細書によってもたらされる。
【図面の簡単な説明】
【００３５】
【図１】図１は、手術台にアクセサリを固定する為のデバイスの概略透視図を示す。
【図２】図２は、図１に従ったデバイスの他の概略透視図を示す。
【図３】図３は、図１に従ったデバイスの他の概略透視図を示す。
【図４】図４は、図１に従ったデバイスの他の概略透視図を示す。
【図５】図５は、円形のプロファイルを有するロッドを適応した場合に於ける図１乃至４に従ったデバイスの平面図を示す。
【図６】図６は、長方形のプロファイルを有するロッドを適応した場合に於ける図１乃至４に従ったデバイスの平面図を示す。
【図７】図７は、別の長方形のロッドを適応した場合に於ける図１乃至４に従ったデバイスの平面図を示す。
【図８】図８は、正方形のプロファイルを有するロッドを適応した場合に於ける図１乃至４に従ったデバイスの平面図を示す。
【図９】図９は、八角形のプロファイルを有するロッドを適応した場合に於ける図１乃至４に従ったデバイスの平面図を示す。
【図１０】図１０は、六角形のプロファイルを有するロッドを適応した場合に於ける図１乃至４に従ったデバイスの平面図を示す。
【図１１】図１１は、別の実施の形態に従った、手術台にアクセサリを固定する為のデバイスの概略透視図を示す。
【図１２】図１２は、別の実施の形態に従った、手術台にアクセサリを固定する為のデバイスの概略透視図を示す。
【発明を実施するための形態】
【００３６】
図１及び２に於いては、何れの場合であっても、手術台のレールにアクセサリを固定する為のデバイス１０の第１の実施の形態の概略透視図が示される。デバイス１０は、一般的にブラケットとも指称される。
【００３７】
デバイス１０は、手術台のレールにデバイス１０を固定する為の第１の固定ユニット１２を含む。この第１の固定ユニット１２は、デバイス１０のベースボディ１６の一部である様に設計した第１のフック１４を含む。このフック１４は、手術台のレールの上側に亘りハングする事が出来、結果的に、レールを凹部１８に収容する。
【００３８】
更に、第１の固定ユニット１２は、レバー２２を介し手動で調整する事が出来る別のフック２０を含む。デバイス１０が上からレールに置かれたら直ちに、レバー２２が図２に示した位置を離れ矢印Ｐ１の方向に移動し、それが手術台のレールを下から包囲し、従って、クランプ接続を確立する様に、結果的に第２のフック２０が矢印Ｐ１の方向に移動する。結果的に、手術台レールを確実に固定する。特に、レールの軸滑りも防ぐ。レバー２２は、図２に於いて不可視であって、レバー２２が、従って第２のフック２０が所望の位置に留まる様に相補的なデテント２４に係合する事が出来るスナップインエレメントを含む。
【００３９】
第１の固定ユニット１２の外側に面するベースボディ１６の側面に於いて、デバイス１０に、従って手術台にアクセサリのロッドを固定する為の第２の固定ユニット３０を提供する。このアクセサリは、例えば、ボディサポート、アームサポート、及び／又は麻酔ボウであっても構わない。これらのアクセサリは、それらがデバイス１０を介し高さを調整する事が出来る様に手術台に対し垂直に延在し固定されるロッドを含む点に於いて共通する。これは、ロッドの相当数の異なる所定のプロファイルの為に以下に更に詳細に説明される様に可能と成る。
【００４０】
第２の固定ユニット３０は、通路穴４０を有し、それを通じデバイス１０に固定されるアクセサリのロッドを導く。特に正方形のプロファイルを有するロッド、長方形の（非正方形）のプロファイルを有するロッド、平面を有するか又は有さない円形のプロファイルを有するロッド、六角形のプロファイルを有するロッド、及び八角形のプロファイルを有するロッドを最小サイズと最大サイズとの間の何れの場合であっても導く事が出来る様に穴４０を設計する。
【００４１】
この点に関しては、穴４０は、特に、蝶ねじ３６に面する側面に、側壁たる平面４２を有し、Ｖ字形のノッチ４４は、中央に提供される。
【００４２】
第２の固定ユニット３０は、穴４０内に迄も延在する穴５２を含む。穴５２に於いては、ねじ切り加工が提供され、それにテンションねじが係合する。テンションねじ３６のレバー５４を回転させる事によって、テンションねじ３６を穴４０の内外に穴５２の軸方向に移動させる事が出来、結果的に、以下に更に正確に説明する様に、収容したロッドをクランプする。
【００４３】
計画に従ったデバイス１０の取り付けの場合に長手軸が手術台の水平に延在するレール上に垂直に指向する様に穴４０を設計する。
【００４４】
図３に於いては、デバイス１０の別の概略透視図が示され、ここでは、特に穴４０内に視点が向けられる。ここでは、円形のプロファイルを有するロッド、長方形（非正方形）のプロファイルを有するロッド、正方形のプロファイルを有するロッド、六角形のプロファイルを有するロッド、及び八角形のプロファイルを有するロッドを穴４０内に確実にクランプする事が出来る様に穴４０を設計する。この目的の為に、前述の全てのプロファイルタイプが接する様に穴４０の断面を選択する事が出来、滑りと捻れの両方を確実に防ぐ様に、穴４０の対面した側面に於いて、平面接触を有するか又は少なくとも２本の接触線に沿った穴の何れか一方の内壁に対抗する。対応する接触は、前述の異なるプロファイルタイプの為の図５乃至１０に於いて特に適切に理解する事が出来る。
【００４５】
図４に於いては、図１乃至３に従ったデバイス１０の別の概略透視図が示され、穴４０の形状を説明する為に、穴４０の幾何学的形状が破線又は鎖線によって示される。
【００４６】
正方形７２と２つの長方形７４及び７６の重ね合わせによって穴４０の断面がもたらされる。長方形は、同一に形成され、相互に９０°だけ回転し配置される。正方形７２は、２つの長方形に対し４５°だけ回転し配置され、正方形７２の中心と長方形７４及び７６の中心は、一点に於いて一致する。正方形７２の対角線は、長方形７４及び７６の長辺よりも長く、結果的に、長方形の短辺上に長方形を越え正方形が突出し、それらが穴４０の外形に於いてＶ字形状のノッチをもたらす。特に、全体的に見ると、穴４０の外形は、正方形７２によって幾つかの部品上に、長方形７４によって幾つかの部品上に、及び長方形７６によって幾つかの部品上に形成される。
【００４７】
図５乃至１０に関連し以下に更に詳細に説明する様に、穴４０のこの特殊な形状によって、デバイス１０を介し共通の全てのプロファイルタイプを確実にクランプし、従って手術台に固定する事が出来る。
【００４８】
図５に於いては、円形のプロファイルを有するロッド１００の適応が示される。このロッドは、２本の接触線を介しテンションねじ３６に面する側面上の穴４０の内壁に対抗し接し、従って確実に固定される。
【００４９】
図６は、図１乃至４に従ったデバイス１０の平面図を示し、長方形のプロファイルを有するロッド１０２をクランプする。ロッド１０２は、ロッド１０２を確実に固定する事が出来る様に、長方形７６によって形成した穴４０の周囲のサブセクションに対抗し位置する。
【００５０】
図７は、図１乃至４に従ったデバイス１０の平面図を示し、長方形のプロファイルを有するロッド１０４を収容する。然し乍ら、図６のロッド１０２と比較し、このロッド１０４は、９０°だけ回転して配置される。このロッドは、滑りと捻れとに耐える様にロッド１０４をクランプする事が出来る様に、テンションねじ３６を介し長方形７４によって形成した表面に対抗し押される。
【００５１】
図８に於いては、デバイス１０の平面図が示され、正方形のプロファイルを有するロッド１０６を穴４０に収容する。ここで、正方形のプロファイルの縁は、正方形７２によって形成したＶ字形状のノッチに収容され、結果的に、確実な保持を保証する。
【００５２】
図９に於いて、デバイス１０の別の平面図が示され、八角形のプロファイルを有するロッド１０８を収容する。
【００５３】
図１０は、図１乃至４に従ったデバイス１０の平面図を示し、六角形のプロファイルを有するロッド１１０を穴に収容し、確実にクランプする。
【００５４】
図１１に於いては、第２の実施の形態に従った手術台にアクセサリを固定する為のデバイス８０の概略透視図が示される。この第２の実施の形態に於いては、穴４０が別々に形成され、即ち、それが正方形７２と長方形７４の重ね合わせのみによって構成される。
【００５５】
この形状に於いては、第１の実施の形態と同数のプロファイルタイプと違い、多数の異なるプロファイルタイプを収容する事が出来る。特に、図６のロッド１０２に従って配置した長方形のプロファイルを収容する事は出来ない。
【００５６】
図１２に於いては、第３の実施の形態に従った手術台にアクセサリを固定する為のデバイス９０の平面図が示される。この第３の実施の形態に於いては、穴４０の断面が正方形７２と長方形７６の重ね合わせによってもたらされる様に穴４０が形成される。この実施の形態に於いては、図７に従ったロッド１０４に従って配置したロッドを収容する事は出来ない。
【００５７】
全体的に、前述のデバイス１０によって、デバイス１０を介し多数の異なる所定のプロファイルを有するロッド１００乃至１０８を手術台に固定する事が出来る。更に、如何なる場合であっても、各手術状態設定に於いて間違ったロッドが差し込まれる事を防ぎ、確実な固定を保証する。
【００５８】
従って、ユーザは、相当数のアクセサリの為に使用される１つのデバイス１０のみを必要とする。更に、デバイス１０は、ボンディング接続を介し各アクセサリに永続的に固定されない。
【００５９】
更に、デバイス１０が手術台を越え突出せず、従って移送を妨げない為、患者を異なるベッドに移す時でさえデバイス１０が手術台上に保持される。
【００６０】
更に、デバイス１０によって、同一のハンドホールドによって全てのアクセサリを固定する事が出来、個々の固定デバイスに依存する何れの場合であってもユーザによって調整される必要が無い為、取り扱いが全体的に平易化される。更に、ラジアルセッティングクランプの場合と違い、固定がリリースされる時のデバイス１０の傾きが防がれる。
【００６１】
更に、正方形のプロファイルが縁上にクランプされる事は都合が良く、それによって、平面クランプの場合と違い、中空プロファイルの場合に変形が回避される。
【符号の説明】
【００６２】
１０、８０及び９０  デバイス
１２  第１の固定ユニット
１４  フック
１６  ベースボディ
１８  凹部
２０  フック
２２  レバー
２４  デテント
３０  第２の固定ユニット
３６  テンションねじ
４０  穴
４２  表面
４４  Ｖ字形状のノッチ
５２  穴
５４  レバー
５６  接触面
７２  正方形
７４及び７６  長方形
１００乃至１１０  ロッド
Ｐ１  方向
【図１】
2018528791.tif 000003
【図２】
2018528791.tif 000004
【図３】
2018528791.tif 000005
【図４】
2018528791.tif 000006
【図５】
2018528791.tif 000007
【図６】
2018528791.tif 000008
【図７】
2018528791.tif 000009
【図８】
2018528791.tif 000010
【図９】
2018528791.tif 000011
【図１０】
2018528791.tif 000012
【図１１】
2018528791.tif 000013
【図１２】
2018528791.tif 000014
【国際調査報告】
2018528791.tif 000015
2018528791.tif 000016
2018528791.tif 000017
2018528791.tif 000018